(57)【要約】【課題】炊飯器本体の表面に設けた操作部を介して、操作基板に設けたスイッチを操作制御する炊飯器において、温度変化による収縮や変形が生じても、操作できなくなるのを防止する。【解決手段】炊飯器本体１内に鍋２を着脱自在に収納し、この鍋２を加熱する底誘導コイル３を加熱基板５により加熱制御し、炊飯器本体１の表面に設けた操作部１５ａを介して操作制御するスイッチ１６を有する操作基板１７を設ける。操作基板１７と炊飯器本体１の表面との間に寸法規制をする支え部２１を設ける。【選択図】  図１
2004313572.tif 000002
【特許請求の範囲】
【請求項１】
炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板と前記炊飯器本体の表面との間に寸法規制をする支え部を設けた炊飯器。
【請求項２】
操作部と操作基板上のスイッチとの間にキートップを設け、前記キートップと一体に前記操作基板と炊飯器本体の表面との間の寸法規制をする支え部を設けた請求項１記載の炊飯器。
【請求項３】
炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板を前記スイッチ近傍で前記炊飯器本体に固定した炊飯器。
【請求項４】
炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板と備え、前記操作基板をスラスト方向に移動可能な状態に固定した炊飯器。
【請求項５】
炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板に対してスラスト方向に位置決めする位置決めリブを設け、前記位置決めリブを変形容易な形状、あるいは弾性のある材料で構成した炊飯器。
【請求項６】
炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板に対してスラスト方向に位置決めする位置決めリブを操作基板の中心側から外方向に位置決めするように設けた炊飯器。
【請求項７】
炊飯器本体と、前記炊飯器本体内に着脱自在に収納される鍋と、前記鍋を加熱する加熱手段と、前記加熱手段を加熱制御する加熱基板と、前記炊飯器本体にフィルムと樹脂を一体に形成した操作パネルを備え、前記操作パネルにフィルムのみで構成した操作部と、前記操作部を介して操作制御するスイッチを有する操作基板とを有し、前記操作パネルの操作部外周の樹脂肉厚を他の部分より薄くした炊飯器。
【発明の詳細な説明】
【０００１】
【発明の属する技術分野】
本発明は、炊飯器本体の表面に設けた操作部を介して、操作基板に設けたスイッチを操作制御する炊飯器に関するものである。
【０００２】
【従来の技術】
従来、この種の炊飯器は図８に示すように構成していた。以下、その構成について説明する。
【０００３】
図８に示すように、機器外郭７１は、表面に外郭部材７５を装着する外郭部材装着部７６を凹設している。この外郭部材装着部７６にはスイッチ７２のアクチュエータ７２ａが臨む操作部操作孔７７と、操作に対応して表示をするパイロットランプ７３が貫通するパイロットランプ孔７８を設けている。樹脂製の外郭部材７５はあらかじめ防水フィルム７９と一体成形し、操作部８０には外郭部材７５の樹脂はなく防水フィルム７９のみとなっている。また、外郭部材７５は接着部８２により機器外郭７１に水密に接着されている。また、スイッチ７２とパイロットランプ７３は制御回路基板８３上に設けている（例えば、特許文献１参照）。
【０００４】
【特許文献１】
特開平６−２０９８４９号公報（第３−４頁、第１図）
【０００５】
【発明が解決しようとする課題】
しかしながらこのような従来の構成では、炊飯中には機器外郭７１や外郭部材７５および制御回路基板８３の温度が上昇し、使用していないときには温度が下がる。一般的に制御回路基板８３と機器外郭７１や外郭部材７５は材質が異なるため、温度変化による収縮が異なり、機器外郭７１や外郭部材７５の方が収縮が大きくなるため、制御回路基板８３が撓んだり、あるいは熱により機器外郭７１や外郭部材７５が変形して操作部８０とスイッチ７２の距離が変化する。
【０００６】
したがって、操作部８０とスイッチ７２の距離が遠くなり、操作部８０を押してもスイッチ７２に届かず操作出来なかったり、逆に、操作部８０とスイッチ７２の距離が短くなり、スイッチ７２を押し切ったままになるという問題があった。
【０００７】
本発明は上記課題を解決するもので、温度変化による収縮や変形が生じても、操作できなくなるのを防止することを目的としている。
【０００８】
【課題を解決するための手段】
本発明は上記目的を達成するために、炊飯器本体内に鍋を着脱自在に収納し、この鍋を加熱する加熱手段を加熱基板により加熱制御し、炊飯器本体の表面に設けた操作部を介して操作制御するスイッチを有する操作基板を設け、操作基板と炊飯器本体の表面との間に寸法規制をする支え部を設けたものである。
【０００９】
これにより、温度変化による収縮や変形が生じても、操作基板と炊飯器本体表面との距離が短くなり操作できなくなるのを防止することができる。
【００１０】
【発明の実施の形態】
本発明の請求項１に記載の発明は、炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板と前記炊飯器本体の表面との間に寸法規制をする支え部を設けたものであり、温度変化による収縮や変形が生じても、操作基板と炊飯器本体表面との距離が短くなり操作できなくなるのを防止することができる。
【００１１】
請求項２に記載の発明は、上記請求項１に記載の発明において、操作部と操作基板上のスイッチとの間にキートップを設け、前記キートップと一体に前記操作基板と炊飯器本体の表面との間の寸法規制をする支え部を設けたものであり、炊飯器本体表面の外観を損なうことなく、簡単な構成で温度変化による収縮や変形が生じても、操作基板と炊飯器本体表面との距離が短くなり操作できなくなるのを防止することができる。
【００１２】
請求項３に記載の発明は、炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板を前記スイッチ近傍で前記炊飯器本体に固定したものであり、温度変化による収縮や変形が生じても、操作基板と炊飯器本体表面との距離の変化を少なくして操作できなくなるのを防止することができる。
【００１３】
請求項４に記載の発明は、炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板と備え、前記操作基板をスラスト方向に移動可能な状態に固定したものであり、温度変化による収縮や変形が生じても、操作基板が撓むのを防ぐことができ、操作基板と炊飯器本体表面との距離の変化を少なくできて操作できなくなるのを防止することができる。
【００１４】
請求項５に記載の発明は、炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板に対してスラスト方向に位置決めする位置決めリブを設け、前記位置決めリブを変形容易な形状、あるいは弾性のある材料で構成したものであり、温度変化による収縮や変形が生じても、操作基板が撓むのを防ぐことができ、操作基板と炊飯器本体表面との距離の変化を少なくできて操作できなくなるのを防止することができる。
【００１５】
請求項６に記載の発明は、炊飯器本体と、前記炊飯器本体内に着脱自在に収納される鍋と、前記鍋を加熱する加熱手段と、前記加熱手段を加熱制御する加熱基板と、前記炊飯器本体の表面に設けた操作部を介して操作制御するスイッチを有する操作基板とを備え、前記操作基板に対してスラスト方向に位置決めする位置決めリブを操作基板の中心側から外方向に位置決めするように設けたものであり、温度変化による収縮や変形が生じても、操作基板が撓むのを防ぐことができ、操作基板と炊飯器本体表面との距離の変化を少なくできて操作できなくなるのを防止することができる。
【００１６】
請求項７に記載の発明は、炊飯器本体と、前記炊飯器本体内に着脱自在に収納される鍋と、前記鍋を加熱する加熱手段と、前記加熱手段を加熱制御する加熱基板と、前記炊飯器本体にフィルムと樹脂を一体に形成した操作パネルを備え、前記操作パネルにフィルムのみで構成した操作部と、前記操作部を介して操作制御するスイッチを有する操作基板とを有し、前記操作パネルの操作部外周の樹脂肉厚を他の部分より薄くしたものであり、操作パネルの温度が上昇してもフィルム部のみの操作部の変形を少なくできて操作できなくなるのを防止することができる。
【００１７】
【実施例】
以下、本発明の実施例について、図面を参照しながら説明する。
【００１８】
（実施例１）
図１に示すように、炊飯器本体１は、有底筒状の鍋収納部１ａを有し、着脱自在に鍋２を収納する。底誘導コイル３は、鍋２を加熱する加熱手段を構成するもので、鍋収納部１ａの底部に設け、鍋２を誘導加熱し炊飯・保温を行う。底誘導コイル３を用いた誘導加熱方式ではなく鋳込みヒータを加熱手段とし、鍋を加熱してもよいが、誘導加熱方式の方がより高火力・高効率で鍋を加熱することができる。
【００１９】
底センサ４は、鍋２の温度を検知し、加熱基板５へ信号を送る。加熱基板５は底センサ４の信号より底誘導コイル３の通電量を制御し、鍋２の加熱量を制御することで鍋２の温度を炊飯・保温時に適温に制御する。
【００２０】
炊飯器本体１の上部は、炊飯器本体１の後部のヒンジ部６に設けたヒンジ軸７にて軸支した開閉自在な蓋体８で覆われている。蓋体８の外郭は蓋天面を構成する樹脂製の外蓋８ａと鍋２側を構成する樹脂製の外蓋カバー８ｂとで構成し、外蓋８ａと外蓋カバー８ｂは外周部で嵌合している。蓋体８の先端には蓋係合部１１を設けており、炊飯器本体１の前方のフックボタン１２と閉蓋時に係合し、炊飯または保温中に蓋体８が開くのを防止する。フックボタン１２を押すと、蓋係合部１１とフックボタン１２の係合が外れ、蓋体８のヒンジ部６に設けたヒンジばね（図示せず）のばね力よって蓋体８が開くよう構成している。
【００２１】
蓋体８には鍋２の内部空間を加熱する加熱板９を設けており、加熱板９は蓋加熱手段である蓋誘導コイル１０により誘導加熱されて発熱し、炊飯・保温中の蓋体８への露つきを防止する。ここで、蓋誘導コイル１０の代わりに、電気抵抗で発熱する発熱線を加熱板９に貼り付けてもよいが、誘導加熱方式の方がより効率的に加熱板９を発熱させることができる。
【００２２】
蒸気孔１３は炊飯時の鍋２内から発生した蒸気を外部に逃がすもので、鍋パッキン１４は加熱板９と鍋２のフランジ部２ａの間から蒸気が外部へ漏れ出すのを防止している。
【００２３】
蓋体８の天面には厚さ０．０５〜０．３ｍｍのポリエチレンテレフタレート樹脂等のフィルム層１５ｃを有し、ＡＢＳ樹脂、ポリカーボネート樹脂、アクリル樹脂などの樹脂材料層１５ｂと一体に成形し、部分的にフィルム層１５ｃのみで構成される操作部１５ａを有する操作パネル１５を水密に設けている。この操作パネル１５の内側にスイッチ１６を有する操作基板１７をスイッチ１６の近傍で操作パネル１５にねじ２２により固定しており、操作基板１７上のスイッチ１６と操作パネル１５の操作部１５ａの間にキートップ１８を設けている。
【００２４】
このキートップ１８は、操作や炊飯状態を表示する表示手段である液晶表示装置１９を操作基板１７に所定の位置、高さに取り付けるためのＬＣＤホルダー２０に一体に設けている。そして、このキートップ１８を一体に設けたＬＣＤホルダー２０に、操作パネル１５と操作基板１７の間の寸法規制をする支え部２１を一体に設けている。
【００２５】
支え部２１は操作部１５ａの近傍に設けており、操作パネル１５と操作基板１７との距離はこの支え部２１の高さより近づかないため、操作部１５ａが操作基板１７に近づいてキートップ１８を押し下げ操作基板１７上のスイッチ１６を押すことがない構成になっている。
【００２６】
上記構成において動作を説明する。炊飯や保温を繰り返すと、炊飯や保温中は炊飯器本体１の温度が上昇し、使用していないときは炊飯器本体１の温度は下降する。
【００２７】
このような温度変化を繰り返すと、操作パネル１５や外蓋８ａが変形して操作部１５ａが操作基板１７上のスイッチ１６に近づく方向に変化しようとしたり、また、経年変化による収縮についてもポリプロピレン等の樹脂で構成された外蓋８ａとフェノールやエポキシ樹脂等で構成された操作基板１７との収縮寸法に違いがあり、外蓋８ａの方が収縮が大きく、外蓋８ａが収縮しようとして操作基板１７を上方向に撓ませ、操作基板１７上のスイッチ１６が操作部１５ａに近づく方向に変化しようとしたりする。
【００２８】
このとき、支え部２１により操作部１５ａと操作基板１７上のスイッチ１６との距離は近づくことがなく、変形によりスイッチ１６を押してしまうことがない。また、変形を防止するための支え部２１をキートップ１８と一体に構成しているため、キートップ１８の近傍に支え部２１を配置しやすいだけでなく、部品点数を減らすこともできる。
【００２９】
さらに、操作パネル１５等の外観部品から支え部２１を構成すると、支え部２１によるひけが表面に発生し外観を損ねることになるが、キートップ１８を一体に設けたＬＣＤホルダー２０に支え部２１を一体に設けることで、支え部２１によるひけが表面に発生するのを防ぐことができる。
【００３０】
また、操作基板１７はスイッチ１６の近傍で操作パネル１５に固定されているため、スイッチ１６の近傍では操作パネル１５と操作基板１７上のスイッチ１６との距離はねじ２２により変化しにくい構成となっている。したがって、温度変化の繰り返しで操作パネル１５や外蓋８ａが変形して操作部１５ａが操作基板１７上のスイッチ１６から遠くなる方向に変化しようとしても、ねじ２２によりスイッチ１６の近傍で固定されているため、操作部１５ａと操作基板１７上のスイッチ１６との距離は遠くなることはなく、操作部１５ａを押してもスイッチ１６が入らないということを防ぐことができる。
【００３１】
なお、本実施例では、フィルム層１５ｃと樹脂材料層１５ｂを一体成型した操作パネル１５に操作部１５ａを設けているが、炊飯器本体１の表面に直接メンブレンフィルムを貼り付けた構成でも同じである。また、操作部１５は蓋体８に設けているが蓋体８に限るものではない。
【００３２】
（実施例２）
図２に示すように、蓋体２３に操作パネル２４を設けており、操作パネル２４は、フィルム層２４ｃと樹脂材料層２４ｂとを一体に成形し、部分的にフィルム層２４ｃのみで構成される操作部２４ａを有している。この操作パネル２４の内側にスイッチ２５を有する操作基板２６を配設しており、操作基板２６上のスイッチ２５と操作パネル２４の操作部２４ａとの間にキートップ２７を設けている。
【００３３】
このキートップ２７は、操作や炊飯状態を表示する表示手段である液晶表示装置２８を操作基板２６に所定の位置、高さに取り付けるためのＬＣＤホルダー２９に一体に設けている。操作基板２６の取り付けは操作基板２６の厚さより厚い段部３０ａを有する取り付けねじ３０により、取り付けねじ３０の段部３０ａの直径より大きい操作基板２６の取り付け穴２６ａの位置で蓋体２３の取り付けボス２３ｃに取り付けている。このため、操作基板２６はスラスト方向に操作基板２６の取り付け穴２６ａと取り付けねじ３０の段部３０ａの隙間分移動可能な状態になっている。他の構成は実施例１と同じである。
【００３４】
上記構成において動作を説明する。炊飯や保温を繰り返すと、炊飯や保温中は炊飯器本体１の温度が上昇し、使用していないときは炊飯器本体１の温度は下がり、このような温度変化の繰り返しによる経年変化での収縮は、ポリプロピレン等の樹脂で構成された蓋体２３とフェノールやエポキシ樹脂等で構成された操作基板２６との収縮寸法に違いがあり、蓋体２３の方の収縮が大きくなる。
【００３５】
このとき、蓋体２３が収縮して蓋体２３の取り付けボス２３ｃの位置が操作基板２６に対してスラスト方向に変化するが、操作基板２６はスラスト方向に操作基板２６の取り付け穴２６ａと取り付けねじ３０の段部３０ａの隙間分移動可能な状態になっているため、操作基板２６の中心方向に応力がかかり、操作基板２６を撓ませることがなく、操作部２４ａと操作基板２６上のスイッチ２５との距離が変化して、スイッチ２５が押せなかったり、押したままの状態なることを防止できる。
【００３６】
なお、本実施例では、操作基板２６をスラスト方向に移動可能な状態で固定するため段部３０ａを有する取り付けねじ３０で取り付けているが、図３に示すように、蓋体３１の操作基板取り付けボス３２に操作基板３３の取り付け穴３３ａより小さく、操作基板３３の厚さより厚いボス段部３２ａを設け、取り付けねじ３４で取り付ける構成にしても、操作基板３３はスラスト方向に操作基板３３の取り付け穴３３ａと操作基板取り付けボス３２のボス段部３２ａの隙間分移動可能な状態に取り付けることができ、同様の効果が得られる。
【００３７】
また、操作基板２６および操作基板３３の取り付けねじ３０、３４は、図２および図３では一箇所しか示していないが、複数個ある場合は、全数同じ構成にしてもよいが、一箇所は取り付けねじが操作基板に完全に固定してしまう構成になっていても、他の固定部分で操作基板はスラスト方向に移動できるため、同様の効果が得られる。
【００３８】
（実施例３）
図４に示すように、蓋体３５に操作パネル３６を設けており、操作パネル３６は、フィルム層３６ｃと樹脂材料層３６ｂとを一体に成形し、部分的にフィルム層３６ｃのみで構成される操作部３６ａを有している。この操作パネル３６の内側にスイッチ３７を有する操作基板３８を配設しており、操作基板３８上のスイッチ３７と操作パネル３６の操作部３６ａの間にキートップ３９を設けている。
【００３９】
このキートップ３９は、操作や炊飯状態を表示する表示手段である液晶表示装置４０を操作基板３８に所定の位置、高さに取り付けるためのＬＣＤホルダー４１に一体に設けている。
【００４０】
操作基板３８は位置決めリブ４２により位置決めされている。位置決めリブ４２は蓋体３５に一体に設け、樹脂の厚さが１．２ｍｍ以下の薄さで構成するか、あるいはゴムやエラストマー等の弾性のある材料で構成している。他の構成は上記実施例１と同じである。
【００４１】
上記構成において動作を説明する。炊飯や保温を繰り返すと、炊飯や保温中は炊飯器本体の温度が上昇し、使用していないときは炊飯器本体の温度は下がる。このような温度変化の繰り返すと樹脂部品は収縮するが、ポリプロピレン等の樹脂で構成された蓋体３５の収縮の方がフェノールやエポキシ樹脂等で構成された操作基板３８の収縮より大きい。
【００４２】
そのため、位置決めリブ４２の位置が操作基板３８側に圧接する方向になり、操作基板３８を撓ませる方向に力が働くが、位置決めリブ４２が薄い樹脂で構成されているか、弾性のある材料で構成されているため、位置決めリブ４２に応力が働くと、位置決めリブが撓んだり変形して、操作基板３８を撓ませる方向に力が働くのを防いで、操作基板３８上のスイッチ３７が操作部３６ａに近づいてスイッチ３７を押した状態になるのを防止することができる。
【００４３】
ここで、位置決めリブ４２は、炊飯器本体の前後方向だけでなく左右方向にも同様に設けており、同様の効果を得ることができる。
【００４４】
なお、本実施例では、位置決めリブ４２を操作基板３８に垂直に接するように設けているが、図５に示すように、位置決めリブ４３を操作基板３８の端面に平行なリブとして、位置決めリブ４３を操作基板３８のスラスト方向に対して撓みやすくする構成でも同様の効果が得られる。
【００４５】
（実施例４）
図６に示すように、蓋体４４に操作部４５ａを有する操作パネル４５を設けており、この操作パネル４５の内側にスイッチ４６を有する操作基板４７を配設しており、操作基板４７上のスイッチ４６と操作パネル４５の操作部４５ａの間にキートップ４８を設けている。このキートップ４８は、操作や炊飯状態を表示する表示手段である液晶表示装置４９を操作基板４７に所定の位置、高さに取り付けるためのＬＣＤホルダー５０に一体に設けている。
【００４６】
操作基板４７は位置決めするための位置決め穴４７ａを有し、蓋体４４に設けた位置決めリブ５１に嵌合して位置決めしている。この位置決めリブ５１と操作基板４７の位置決め穴４７ａは操作基板４７の中心側に対しては隙間を有し、外方向に対しては隙間を最小にして位置決めできるように構成している。他の構成は上記実施例１と同じである。
【００４７】
上記構成において動作を説明する。炊飯や保温を繰り返すと、炊飯や保温中は炊飯器本体の温度が上昇し、使用していないときは炊飯器本体の温度は下がる。このような温度変化の繰り返すと樹脂部品は収縮するが、ポリプロピレン等の樹脂で構成された蓋体４４の収縮の方がフェノールやエポキシ樹脂等で構成された操作基板４７の収縮より大きい。
【００４８】
そのため、位置決めリブ５１は操作基板４７に対して操作基板４７の中心側に変化することになる。位置決めリブ５１が操作基板４７の中心側に変化しても、操作基板４７の位置決め穴４７ａの操作基板４７の中心側と位置決めリブ５１の間には隙間があるため、操作基板４７を撓ませるような応力が働かず、操作基板４７を変形させて操作基板４７上のスイッチ４６が操作部４５ａに近づいてスイッチ４６を押した状態になるのを防止することができる。
【００４９】
なお、位置決めリブ５１は、図６では、炊飯器本体の前後方向に設けているが、前後方向に限るものではなく、操作基板４７の位置決めが必要な方向にすべて外方向に対して隙間を最小にして、中心側に対しては隙間を有するように設けてもよい。
【００５０】
（実施例５）
図７に示すように、蓋体５２に操作パネル５３を設けており、操作パネル５３は、フィルム層５３ｃと樹脂材料層５３ｂとを一体に成形し、部分的にフィルム層５３ｃのみで構成される操作部５３ａを有している。この操作パネル５３の内側にスイッチ５４を有する操作基板５５を配設しており、操作基板５５上のスイッチ５４と操作パネル５３の操作部５３ａの間にキートップ５６を設けている。
【００５１】
このキートップ５６は、操作や炊飯状態を表示する表示手段である液晶表示装置５７を操作基板５５の所定の位置、高さに取り付けるためのＬＣＤホルダー５８に一体に設けている。操作パネル５３のフィルム層５３ｃのみの操作部５３ａは凸形状のエンボスになっており、この操作部５３ａの外周の樹脂材料層５３ｂの樹脂肉厚を他の部分より薄くした薄肉部５３ｄを設けている。
【００５２】
ここで、薄肉部５３ｄの肉厚は、樹脂材料層５３ｂの肉厚ｔの半分以下、薄肉部５３ｄの範囲は、樹脂材料層５３ｂの肉厚ｔの半分以上とすることが望ましい。他の構成は上記実施例１と同じである。
【００５３】
上記構成において動作を説明する。操作パネル５３の操作部５３ａ外周の樹脂材料層５３ｂの樹脂肉厚を他の部分より薄くしている。成型加工したときの収縮は肉厚が厚いほど大きくなるため、操作パネル５３を成型加工したときの成型収縮は操作部５３ａ周囲の薄肉部５３ｄの方が他の部分より少なくなる。したがって操作部５３ａの凸形状のエンボスに作用する成型での収縮の影響が少なくなり、凸形状のエンボスである操作部５３ａの形状が安定した形状にすることができる。
【００５４】
また、炊飯や保温を繰り返すと、炊飯や保温中は炊飯器本体の温度が上昇し、使用していないときは炊飯器本体の温度は下がる。このような温度変化の繰り返しによっても樹脂部品は収縮するが、操作パネル５３の操作部５３ａ外周の樹脂材料層５３ｂの樹脂肉厚を他の部分より薄くしているため、操作部５３ａの周囲の収縮は他の部分の収縮より小さくなるため、凸形状のエンボスである操作部５３ａ樹脂材料層５３ｂの収縮の影響を受けにくくなり、操作部５３ａの形状が変化しにくくなる。
【００５５】
したがって、操作部５３ａの形状変化によりスイッチ５４を押せなかったり、押したままになるということが防止できる。
【００５６】
【発明の効果】
以上のように本発明の請求項１に記載の発明によれば、炊飯器本体の表面に設けた操作部を介して操作制御するスイッチを有する操作基板と、炊飯器本体の表面との間に寸法規制をする支え部を設けたから、温度変化による収縮や変形が生じても、操作基板と炊飯器本体表面との距離が短くなり操作できなくなるのを防止することができる。
【００５７】
また、請求項２に記載の発明によれば、操作部と操作基板上のスイッチとの間にキートップを設け、キートップと一体に操作基板と炊飯器本体の表面との間の寸法規制をする支え部を設けたから、炊飯器本体表面の外観を損なうことなく、簡単な構成で温度変化による収縮や変形が生じても、操作基板と炊飯器本体表面との距離が短くなり操作できなくなるのを防止することができる。
【００５８】
また、請求項３に記載の発明によれば、炊飯器本体の表面に設けた操作部を介して操作制御するスイッチを有する操作基板をスイッチ近傍で炊飯器本体に固定したから、温度変化による収縮や変形が生じても、操作基板と炊飯器本体表面との距離の変化を少なくして操作できなくなるのを防止することができる。
【００５９】
また、請求項４に記載の発明によれば、炊飯器本体の表面に設けた操作部を介して操作制御するスイッチを有する操作基板をスラスト方向に移動可能な状態に固定したから、温度変化による収縮や変形が生じても、操作基板が撓むのを防ぐことができ、操作基板と炊飯器本体表面との距離の変化を少なくできて操作できなくなるのを防止することができる。
【００６０】
また、請求項５に記載の発明によれば、炊飯器本体の表面に設けた操作部を介して操作制御するスイッチを有する操作基板に対してスラスト方向に位置決めする位置決めリブを設け、位置決めリブを変形容易な形状、あるいは弾性のある材料で構成したから、温度変化による収縮や変形が生じても、操作基板が撓むのを防ぐことができ、操作基板と炊飯器本体表面との距離の変化を少なくできて操作できなくなるのを防止することができる。
【００６１】
また、請求項６に記載の発明によれば、炊飯器本体の表面に設けた操作部を介して操作制御するスイッチを有する操作基板に対してスラスト方向に位置決めする位置決めリブを操作基板の中心側から外方向に位置決めするように設けたから、温度変化による収縮や変形が生じても、操作基板が撓むのを防ぐことができ、操作基板と炊飯器本体表面との距離の変化を少なくできて操作できなくなるのを防止することができる。
【００６２】
また、請求項７に記載の発明によれば、炊飯器本体にフィルムと樹脂を一体に形成した操作パネルを備え、操作パネルにフィルムのみで構成した操作部と、この操作部を介して操作制御するスイッチを有する操作基板とを有し、操作パネルの操作部外周の樹脂肉厚を他の部分より薄くしたから、操作パネルの温度が上昇してもフィルム部のみの操作部の変形を少なくできて操作できなくなるのを防止することができる。
【図面の簡単な説明】
【図１】本発明の第１の実施例の炊飯器の断面図
【図２】本発明の第２の実施例の炊飯器の要部断面図
【図３】本発明の第２の実施例の炊飯器の他の例の要部断面図
【図４】本発明の第３の実施例の炊飯器の要部断面図
【図５】本発明の第３の実施例の炊飯器の他の例の要部断面図
【図６】本発明の第４の実施例の炊飯器の要部断面図
【図７】本発明の第５の実施例の炊飯器の要部断面図
【図８】従来の炊飯器の要部断面図
【符号の説明】
１  炊飯器本体
２  鍋
３  底誘導コイル（加熱手段）
５  加熱基板
１５ａ  操作部
１６  スイッチ
１７  操作基板
２１  支え部
【図１】
2004313572.tif 000003
【図２】
2004313572.tif 000004
【図３】
2004313572.tif 000005
【図４】
2004313572.tif 000006
【図５】
2004313572.tif 000007
【図６】
2004313572.tif 000008
【図７】
2004313572.tif 000009
【図８】
2004313572.tif 000010